(57)【特許請求の範囲】
【請求項１】
ユーザ毎に割当てられたユーザＩＤに関連付けて媒体に対応する画像を処理し、画像処理後に前記媒体を排出する画像処理装置、及び当該ユーザＩＤに関連付けて前記画像処理装置に対して画像処理の指示を行う情報処理装置を備えた画像処理システムであって、
前記画像処理装置の前記媒体１枚あたりの画像処理にかかる処理速度情報を格納する装置情報格納部と、
ユーザＩＤと当該ユーザＩＤに対応するユーザが前記画像処理装置から排出された前記媒体を取得するための移動に要するユーザ移動時間とを関連付けてユーザ識別情報として格納するユーザ情報格納部と、
前記装置情報格納部に格納された前記処理速度情報と前記媒体の処理枚数とから画像処理の完了に要する所要時間を予測する処理完了時間予測部と、
前記処理完了時間予測部が予測した前記所要時間、及び前記ユーザ情報格納部に格納された画像処理の実行指令を出した実行ユーザのユーザ移動時間に基づき、実行ユーザに対して前記画像処理装置から排出された前記媒体を取得するための移動を促す媒体取得時刻を予測計算する媒体取得時間予測部と、
前記媒体取得時間予測部により予測計算された前記媒体取得時刻を実行ユーザに対して表示し、前記画像処理装置から排出された前記媒体を実行ユーザが取得した旨の入力を受け付ける表示部と、
前記画像処理装置による画像処理の完了時から前記画像処理装置から排出された前記媒体を実行ユーザが取得した旨の入力を受け付けるまでの経過時間を計時するタイマと、
前記タイマにより計時された前記経過時間に基づいて前記ユーザ情報格納部に格納される実行ユーザのユーザ移動時間を更新する制御部とを備えることを特徴とする画像処理システム。
【請求項２】
前記制御部は、前記タイマにより計時された前記経過時間が前記ユーザ情報格納部に格納される前記実行ユーザのユーザ移動時間よりも短い場合に、当該ユーザ移動時間を更新することを特徴とする請求項１記載の画像処理システム。
【請求項３】
前記表示部は、前記媒体取得時間予測部により予測計算された前記媒体取得時刻を前記実行ユーザに対して表示する媒体取得表示画面と、
前記画像処理装置から排出された前記媒体を前記実行ユーザが取得した旨の入力を受け付ける媒体取得確認画面とを備えることを特徴とする請求項１記載の画像処理システム。
【請求項４】
前記媒体取得確認画面は、前記実行ユーザ以外の前記媒体を取得したユーザのユーザＩＤを表示させる媒体取得済ユーザ表示画面を備えることを特徴とする請求項３記載の画像処理システム。
【請求項５】
前記表示部は、前記媒体取得時間予測部が予測計算した前記媒体取得時刻よりも早く前記実行ユーザが前記媒体を取得した際に、前記媒体が全て取得されたことを確認する全媒体取得確認部を備えることを特徴とする請求項３記載の画像処理システム。
【請求項６】
前記画像処理装置は、前記媒体に画像データに基づいた画像を形成する画像形成部を供えることを特徴とする請求項１記載の画像処理システム。
【請求項７】
前記情報処理装置は、画像データを作成する画像データ作成部を備えることを特徴とする請求項１記載の画像処理システム。
【請求項８】
前記画像処理装置は、前記媒体上に形成された画像を読取るスキャナ部を備えることを特徴とする請求項１記載の画像処理システム。
【発明の詳細な説明】
【技術分野】
【０００１】
本発明は、画像処理システムに関するものである。
【背景技術】
【０００２】
従来、情報処理装置等で作成した画像データを画像形成部を備えた画像処理装置で媒体に印刷する場合や、画像が形成された媒体をスキャナ等の読取り部を備えた画像処理装置で読取る場合、ユーザは処理完了時間を予測し、その時間に合せて媒体を画像処理装置まで取得しに行っていた（例えば、特許文献１）。
【０００３】
【特許文献１】特開平２００１−２５６００６号公報
【発明の開示】
【発明が解決しようとする課題】
【０００４】
しかしながら、従来の方法では、ユーザは席を立つべき時間がわからないので、処理完了よりも早く媒体を取に行った場合、ユーザは画像処理装置の前で処理完了まで待たされてしまうといった事態がしばしば発生していた。また、逆に処理完了よりも遅く媒体を取りに行った場合、媒体を取りに行く間に他のユーザによる処理が行われてしまう可能性があり、処理の実行指令を出した実行ユーザの媒体が他のユーザの媒体と混同してしまい、間違えて他のユーザの媒体を回収してしまうといった事態もしばしば発生していた。
【０００５】
本発明は、このような実情に鑑みてなされたものであり、本発明の課題は、実行ユーザが媒体を取得するために画像処理装置に向かう最適な時期を通知することが可能な画像処理システムを提供することである。
【課題を解決するための手段】
【０００６】
上記課題を解決するために、本発明にかかる画像処理システムは、ユーザ毎に割当てられたユーザＩＤに関連付けて媒体に対応する画像を処理し、画像処理後に前記媒体を排出する画像処理装置、及び当該ユーザＩＤに関連付けて前記画像処理装置に対して画像処理の指示を行う情報処理装置を備えた画像処理システムであって、前記画像処理装置の前記媒体１枚あたりの画像処理にかかる処理速度情報を格納する装置情報格納部と、ユーザＩＤと当該ユーザＩＤに対応するユーザが前記画像処理装置から排出された前記媒体を取得するための移動に要するユーザ移動時間とを関連付けてユーザ識別情報として格納するユーザ情報格納部と、前記装置情報格納部に格納された前記処理速度情報と前記媒体の処理枚数とから画像処理の完了に要する所要時間を予測する処理完了時間予測部と、前記処理完了時間予測部が予測した前記所要時間、及び前記ユーザ情報格納部に格納された画像処理の実行指令を出した実行ユーザのユーザ移動時間に基づき、実行ユーザに対して前記画像処理装置から排出された前記媒体を取得するための移動を促す媒体取得時刻を予測計算する媒体取得時間予測部と、前記媒体取得時間予測部により予測計算された前記媒体取得時刻を実行ユーザに対して表示し、前記画像処理装置から排出された前記媒体を実行ユーザが取得した旨の入力を受け付ける表示部と、前記画像処理装置による画像処理の完了時から前記画像処理装置から排出された前記媒体を実行ユーザが取得した旨の入力を受け付けるまでの経過時間を計時するタイマと、前記タイマにより計時された前記経過時間に基づいて前記ユーザ情報格納部に格納される実行ユーザのユーザ移動時間を更新する制御部とを備えることを特徴とする。
【０００７】
本発明にかかる画像処理システムは、画像処理装置の画像処理速度情報を格納する装置情報格納部及び処理完了時間予測部を備える。処理完了時間予測部は、装置情報格納部に格納された画像処理速度情報及び画像処理に供される媒体数から画像処理が完了するまでに要する所要時間を予測計算する。
また、画像処理システムは、ユーザ識別情報が入力される予定時間をユーザ識別情報と関連付けて格納するユーザ情報格納部を備える。
かかる構成により、画像処理が完了するまでに要する所要時間及びユーザ識別情報の入力予定時間に基づいて、画像処理の実行指令を出した実行ユーザが画像処理装置のスタッカ部に排出された媒体を取得するために移動を開始するのに適した媒体取得時刻を予測算出することが可能となる。
【発明の効果】
【０００８】
本発明にかかる画像処理システムによれば、ユーザ識別情報が入力される予定時間が、実行ユーザが画像処理装置に到達する予定時間にあてはまるので、実行ユーザが媒体を取得するために移動を開始するのに適したときを把握することが出来る。したがって、実行ユーザは、ストレスを感じることなく媒体の取得に向かうことができる。
【発明を実施するための最良の形態】
【０００９】
（第１の実施例）
以下、本発明にかかる画像処理システムについて図面を参照して説明する。本実施例では、情報処理装置としてＰＣ（Ｐｅｒｓｏｎａｌ  Ｃｏｍｐｕｔｅｒ）１００、画像処理装置としてプリンタ２００を備えた画像処理システムについて説明する。なお、本発明の画像処理システムは、以下の記述に限定されるものではなく、本発明の要旨を逸脱しない範囲において適宜変更可能である。
【００１０】
図１は、本実施例にかかる画像処理システムが備えるＰＣ１００及びプリンタ２００の要部構成を説明するブロック図である。ＰＣ１００は、データ送受信部１０１と、ＰＣ制御部１０２と、印刷データ作成部１０３と、表示部１０４とを備える。表示部１０４は、さらに、印刷完了時間表示部１０５と、印刷状況表示部１０６と、印刷物取得確認部１０７とを備える。
【００１１】
データ送受信部１０１は、プリンタ２００に対して印刷ジョブ、ＰＣ１００の装置情報、又はユーザ識別情報を入出力するインタフェースである。
ＰＣ制御部１０２は、データ送受信部１０１に対するデータ送受信指示又は表示部１０４に対する表示指示等のＰＣ１００の動作にかかる一連の必要な処理を実行する。
印刷データ作成部１０３は、ＰＣ１００で動作するアプリケーションプログラムから印刷データを作成する。
ＰＣ制御部１０２は、例えば、作成された印刷データから図２に示すような印刷ジョブを作成する。
ＰＣ制御部１０２は、印刷データ作成部１０３が作成した印刷データ３０２のヘッダ部分に当該印刷データを作成したユーザを識別するためのユーザＩＤ３００及び印刷データに基づく印刷を実行した際に必要となる媒体の枚数としてのページ枚数情報３０１を付加して印刷ジョブを作成する。作成された印刷ジョブはデータ送受信部１０１を介してプリンタ２００に送信される。
【００１２】
表示部１０４は、プリンタ２００の状態を表すための文字や図形等を表示する。
印刷完了時間表示部１０５は、プリンタ２００から送信された印刷完了時間を表示する。
印刷状況表示部１０６は、プリンタ２００から送信された印刷状況を表示する。
印刷物取得確認部１０６は、ユーザが押下するボタンを備え、印刷完了後にプリンタ２００から印刷物を取得したか否かを確認する。
【００１３】
プリンタ２００は、データ送受信部２０１と、プリンタ制御部２０２と、ユーザ情報格納部２０３と、装置情報格納部２０４と、処理完了時間予測部としてのＪｏｂ完了時間予測部２０５と、媒体取得時間予測部２０６と、印刷部２０７と、図示しないユーザ識別情報に関連付けて宛先情報を記憶する宛先情報記憶部と、ユーザ識別情報とともに媒体が取得された取得時間を記憶する取得時間記憶部とを備える。
【００１４】
データ送受信部２０１は、ＰＣ１００で作成された印刷ジョブ又はプリンタ２００の装置情報を入出力するインタフェースである。
プリンタ制御部２０２は、データ制御部２０１に対するデータ送受信指示、媒体取得時間予測部２０６に対する予測計算指示、又は印刷部２０７に対する印刷指示等のプリンタ２００の動作にかかる一連の必要な処理を実行する。
【００１５】
ユーザ識別情報は、図３に示すように、ユーザ毎に割当てられたユーザＩＤ３００とユーザがＰＣ１００からプリンタ２００への移動に要するユーザ移動時間情報３０３とにより構成され、ユーザ情報格納部２０３には、ユーザＩＤとユーザ移動時間情報３０３とを対応付けたユーザ識別情報が格納されている。
【００１６】
装置情報格納部２０４は、プリンタ２００の印刷処理にかかる印刷処理速度情報を格納する。
例えば、図４に示すように媒体１枚あたりの印刷にかかる時間を示す情報である印刷処理速度情報は、プリンタ２００がカラー印刷を行う場合のカラー処理速度５００及びモノクロ印刷を行う場合のモノクロ処理速度５０１から構成される。
【００１７】
Ｊｏｂ完了時間予測部２０５は、装置情報格納部２０４に格納されている印刷処理速度情報及び印刷処理にかかるページ枚数情報に基づいて印刷開始から印刷完了までに要する所要時間を予測計算する。
媒体取得時間予測部２０６は、印刷処理を実行した実行ユーザに割当てられたＩＤに対応付けて格納されているユーザ移動時間及びＪｏｂ完了時間予測部２０５が予測計算した所要時間に基づいて実行ユーザがプリンタ２００外部に排出された印刷物を取得するために移動を開始するのに適した媒体取得時刻を予測計算する。
印刷部２０７は、プリンタ制御部２０２の指示に基づいて媒体に印刷データを印刷する。
【００１８】
以下、本実施例にかかる画像処理システムの動作について説明する。なお、本実施例において、予め、プリンタ２００の装置情報格納部２０４には、印刷処理にかかる印刷処理速度情報が格納されているものとし、さらにユーザ情報格納部２０３には、本プリンタを使用するユーザＩＤに対応付けてユーザのユーザ移動時間が格納されているものとする。
【００１９】
図５は、プリンタ２００の動作を説明するフローチャートである。
まず、ＰＣ１００において実行ユーザによる印刷実行指示を受けたＰＣ制御部１０２は、印刷データ作成部１０３で作成された印刷データに実行ユーザのユーザＩＤ３００及び印刷するページ枚数情報３０１を付加して印刷ジョブを作成する。
次に、ＰＣ制御部１０２は、作成した印刷ジョブをプリンタ２００に送信するようデータ送受信部１０１に対して送信指示を供給する。送信指示を受けたデータ送受信部１０１は、プリンタ２００に対して印刷ジョブを送信する。
【００２０】
プリンタ２００のデータ送受信部２０１は、ＰＣ１００のデータ送受信部１０１から送信された印刷ジョブを受信する（Ｓ１００）。
印刷ジョブを受信すると、プリンタ制御部２０２は、印刷ジョブに含まれているユーザＩＤ３００を取得する（Ｓ１０１）。
また、これと同時にプリンタ制御部２０２は、印刷部２０７に対して受信した印刷ジョブ中の印刷データの印刷指示を供給する。
ユーザＩＤ３００を取得したプリンタ制御部２０２は、印刷ジョブから取得したユーザＩＤ３００がユーザ情報格納部２０３に含まれているか否かを判断する（Ｓ１０２）。ユーザ情報格納部２０３に該当するユーザＩＤ３００が含まれている場合（Ｓ１０２  Ｙｅｓ）、プリンタ制御部２０２は、同じくユーザ情報格納部２０３に格納されている該当実行ユーザに対応するユーザ移動時間Ｔｓを取得する（Ｓ１０３）。ここで、ユーザＩＤ３００に該当するユーザ識別情報がユーザ情報格納部２０３に含まれていない場合（Ｓ１０２  Ｎｏ）、プリンタ制御部２０２は、ユーザ移動時間Ｔｓを０に設定する。
次に、プリンタ制御部２０２は、Ｊｏｂ完了時間予測部２０５に対して、装置情報格納部２０４に格納されている印刷処理速度情報及び印刷ジョブに含まれるページ枚数情報３０１の情報から印刷完了までに要する所要時間（印刷Ｊｏｂ完了時間Ｔｊ）を予測計算するよう指示を供給する（Ｓ１０４）。
【００２１】
次に、プリンタ制御部２０２は、媒体取得時間予測部２０６に対して、ユーザ移動時間Ｔｓ及び印刷Ｊｏｂ完了時間Ｔｊから、｜Ｔｓ−Ｔｊ｜の算出式を用いて最適な印刷物取得時刻を予測計算するよう指示を供給する（Ｓ１０５）。さらに、プリンタ制御部２０２は、媒体取得時間予測部２０６が予測計算した印刷物取得時刻をＰＣ１００に対して送信するようデータ送受信部２０１に対して指示を供給する。送信指示を受けたデータ送受信部２０１は、印刷物取得時刻をＰＣ１００に対して送信する（Ｓ１０６）。
【００２２】
プリンタ２００からデータ送受信部１０１を介して印刷物取得時刻を受信したＰＣ制御部１０２は、印刷物取得確認部１０６に対して印刷物取得時刻を表示するよう指示を供給する。表示指示を受けた印刷物取得確認部１０６は、印刷物取得時刻を表示する。
【００２３】
図６は、印刷処理を実行しているプリンタ２００から送信される装置状況を表示する表示画面の一例を説明する図である。図６の表示画面は、印刷処理を実行している装置名が表示される装置名表示画面６００と、プリンタ２００から受信した印刷完了時間が表示される印刷完了時間表示画面６０１と、プリンタ２００の印刷状況が表示される印刷状況表示画面６０２と、印刷物取得時刻が表示される印刷物取得表示画面６０３とを備える。
【００２４】
プリンタ２００による印刷が完了すると、ＰＣ制御部１０２は、図６に示す表示画面に換えて図７に示す表示画面を表示するよう表示部１０４に指示を供給する。表示画面の構成は、図６で示した表示構成と略同一であるが、図７の表示画面は、印刷物がユーザにより取得されたことを確認するための印刷物取得確認画面６０４を備える。ユーザにより印刷物が取得され、印刷物取得確認画面６０４中の「回収した」ボタンが押下されると、ＰＣ制御部１０２は、表示部１０４に対して表示画面を閉じるよう指示を供給する。指示を受けた表示部１０４は、表示画面を閉じる。
【００２５】
図８は、計時されたユーザ移動時間をユーザ情報格納部２０３に格納する際のプリンタ２００の動作を説明するフローチャートである。
プリンタ２００による印刷が完了すると、プリンタ制御部２０２は、タイマＡによる計時を開始する（Ｓ１０７）。ユーザがプリンタ２００から印刷物を取得し、印刷物取得確認画面６０４中の「回収した」ボタンを押下すると、ＰＣ制御部１０２は、プリンタ制御部２０２に対して印刷物取得通知を送信する。ＰＣ制御部１０２から印刷物取得通知を受信すると（Ｓ１０８）、プリンタ制御部２０２は、タイマＡを停止する（Ｓ１０９）。
次に、プリンタ制御部２０２は、タイマＡで計時した計時時間（ＴＡ）と、これまでにユーザ情報格納部２０３に蓄積されているユーザ移動時間（Ｔ）とを比較して、計時時間ＴＡがユーザ移動時間Ｔよりも短い場合（Ｓ１１０  Ｎｏ）、新たなユーザ移動時間Ｔとしてユーザ情報格納部２０３に格納する（Ｓ１１１）。一方、計時時間ＴＡがこれまでに蓄積されているユーザ移動時間と同じか又は長い場合（Ｓ１１０  Ｙｅｓ）、プリンタ制御部２０２は、計時時間ＴＡを破棄する。本動作は、プリンタ２００による印刷完了後、ユーザにより印刷物取得確認画面７０３中の「回収した」ボタンが押下される度に実行される。
【００２６】
以上のように、第１の実施例によれば、装置情報格納部２０４に格納されたプリンタ２００の印刷処理にかかる印刷処理速度情報から印刷ジョブが完了する時間を予測計算し、さらにユーザ情報格納部２０３に蓄積されたユーザ移動時間情報を考慮することで、印刷処理を実行した実行ユーザが印刷物を取得するためにプリンタ２００に向かう最適な時刻を通知することができる。したがって、印刷処理完了よりも早く印刷物を取に行った場合に、ユーザがプリンタ２００の前で印刷完了まで待たされるといった問題や、逆に印刷処理完了よりも遅く印刷物を取に行った場合、間違えて他のユーザの印刷物を回収してしまうといった問題を解決することが可能となる。
【００２７】
（第２の実施例）
第２の実施例にかかる画像処理システムが備えるＰＣ８００及びプリンタ２００の要部構成は第１の実施例にかかるＰＣ１００及びプリンタ２００と略同一であるため、同一な箇所には同一の符号を付して説明は省略し、異なる箇所について説明する。
図９は、本実施例にかかる画像処理システムが備えるＰＣ８００及びプリンタ２００の要部構成を説明するブロック図である。
第２の実施例におけるＰＣ８００の表示部８０１は、印刷物取得済ユーザ表示部８０２を備える。
印刷物取得済ユーザ表示部８０２は、プリンタ２００において過去に印刷処理を実行し、既に印刷物を取得した他のユーザのユーザＩＤを表示する。
【００２８】
図１０は、プリンタ２００による印刷処理が完了した際に表示される表示画面の一例を説明する図である。図１０の表示画面は、第１の実施例で説明した画面構成と略同一であるが、印刷物取得確認画面６０４は、「回収した」ボタンに加えて「印刷物を紛失した」ボタンを備える。
実行ユーザが印刷処理の実行指示を出し、プリンタ２００において印刷物を取得できなかった場合、実行ユーザは「印刷物を紛失した」ボタンを押下する。すると、ＰＣ制御部１０２は、印刷物取得済ユーザ表示部８０２に既に印刷物をプリンタ２００から取得した他のユーザＩＤを表示するための処理を開始する。
【００２９】
図１１は、印刷物取得済ユーザの表示処理にかかる動作を説明するフローチャートである。
実行ユーザにより「印刷物を紛失した」ボタンが押下されると、ＰＣ制御部１０２は、印刷物を取得した他のユーザが存在するか否かを判断する（Ｓ２０１）。具体的には、ＰＣ制御部１０２は、実行ユーザにより「印刷物を紛失した」ボタンが押下されると、プリンタ制御部２０２に対して、印刷物未取得通知を送信する。すると、プリンタ制御部２０２は、ＰＣ制御部１０２に対して、これまでにプリンタ２００において印刷処理を実行して印刷物を取得した他のユーザのユーザＩＤとその取得時間を送信する。
【００３０】
プリンタ制御部２０２から他のユーザのユーザＩＤが送信されなかった場合、ＰＣ制御部１０２は、該当するユーザは存在しないと判断し（Ｓ２０１  Ｎｏ）、その旨を表示するよう印刷物取得済ユーザ表示部８０２に指示を供給する（Ｓ２０３）。表示指示を受けた印刷物取得済ユーザ表示部８０２は、該当する他のユーザは存在しない旨を表示する。一方、プリンタ制御部２０２から他のユーザのユーザＩＤが送信された場合、ＰＣ制御部１０２は、該当する他のユーザが存在すると判断し（Ｓ２０１  Ｙｅｓ）、該当する他のユーザ一覧を表示するよう印刷物取得済ユーザ表示部８０２に指示を供給する（Ｓ２０２）。表示指示を受けた印刷物取得済ユーザ表示部８０２は、図１２に示すような表示画面を表示する。表示画面の構成は、図１０で示した表示構成と略同一であるが、表示画面は、印刷物取得済ユーザ一覧６０５を備える。この印刷物取得済ユーザ一覧６０５には、プリンタ２００において印刷処理を実行して印刷物を取得した他のユーザのユーザＩＤとその取得時間が表示される。
【００３１】
以上のように、第２の実施例によれば、第１の実施例の効果に加え、実行ユーザの印刷物が間違って他のユーザにより取得された場合においても、間違って印刷物を取得したユーザを特定することができるので、確実に印刷物を回収することが可能となる。
【００３２】
（第３の実施例）
第３の実施例に画像処理システムが備えるＰＣ１０００及びプリンタ２００の要部構成は第１の実施例にかかるＰＣ１００及びプリンタ２００と略同一であるため、同一な箇所には同一の符号を付して説明は省略し、異なる箇所について説明する。
図１３は、本実施例にかかる画像処理システムが備えるＰＣ１０００及びプリンタ２００の要部構成を説明する図である。
第３の実施例におけるＰＣ１０００の表示部１００１は、全印刷物取得確認表示部１００２を備える。
全印刷物取得確認表示部１００２は、実行ユーザが印刷処理の実行指示を出し、プリンタ２００から全ての印刷物を取得する前に実行ユーザがＰＣ１０００に戻ってきた場合、実行ユーザに対して全ての印刷物を取得したかを確認する表示画面を表示する。
【００３３】
図１４は、全印刷物取得確認表示画面の表示処理にかかる動作を説明するフローチャートである。
本動作にかかる処理は、プリンタ２００が計時したユーザ移動時間をユーザ情報格納部２０３に格納する際に実行する処理と略同一である。
プリンタ２００による印刷が完了し、ＰＣ制御部１０２から印刷物取得通知を受信したプリンタ制御部２０２は、タイマＡで計時した計時時間（ＴＡ）と、これまでにユーザ情報格納部２０３に蓄積されているユーザ移動時間（Ｔ）とを比較して、計時時間ＴＡがユーザ移動時間Ｔよりも短い場合（Ｓ５０１  Ｙｅｓ）、プリンタ制御部２０２は、ＰＣ制御部１０２に対して全印刷物取得表示画面を表示するよう指示を供給する。指示を受けたＰＣ制御部１０２は、全印刷物取得表示部１００２に対して全印刷物取得表示画面を表示するよう指示を供給する（Ｓ５０３）。一方、計時時間ＴＡがユーザ移動時間Ｔと同じか又は長い場合（Ｓ５０１  Ｎｏ）、プリンタ制御部２０２は、ＴＡを新たなユーザ移動時間Ｔとしてユーザ情報格納部２０３に格納する。
【００３４】
以上のように、第３の実施例によれば、第１の実施例の効果に加え、実行ユーザが印刷の完了を待たずにＰＣ１０００に戻ってきた際に、印刷物の回収忘れがないかの注意を促す全印刷物取得表示画面が表示されるので、印刷物の回収忘れを防止することができる。
【００３５】
（第４の実施例）
第４の実施例では、情報処理装置としてＰＣ１１００、画像処理装置としてスキャナ１２００を備えた画像処理システムについて説明する。
図１５は、本実施例にかかる画像処理システムが備えるＰＣ１１００及びスキャナ１２００の要部構成を説明するブロック図である。ＰＣ１１００は、データ送受信部１０１と、ＰＣ制御部１０２と、表示部１１０１とを備える。表示部１１０１は、さらに、スキャン完了時間表示部１１０２と、スキャン状況表示部１１０３と、スキャン原稿取得確認部１１０４とを備える。
【００３６】
データ送受信部１０１は、スキャナ１２００に対してＰＣ１１００の装置情報又はユーザ識別情報を入出力するインタフェースである。
ＰＣ制御部１０２は、データ送受信部１０１に対するデータ送受信指示又は表示部１１０１に対する表示指示等のＰＣ１１００の動作にかかる一連の必要な処理を実行する。
表示部１１０１は、スキャナ１２００の状態を表すための文字や図形等を表示する。
スキャン完了時間表示部１１０２は、スキャナ１２００から送信されたスキャン完了時間を表示する。
スキャン状況表示部１１０３は、スキャナ１２００から送信されたスキャン状況を表示する。
スキャン原稿取得確認部１１０４は、ユーザが押下するボタンを備え、スキャン完了後にスキャナ１２００からスキャン原稿を取得したか否かを確認する。
【００３７】
スキャナ１２００は、データ送受信部２０１と、スキャナ制御部２０２と、ユーザ情報格納部２０３と、装置情報格納部２０４と、媒体取得時間予測部２０６と、スキャナ部１２０１と、スキャン用紙枚数センサ１２０２と、処理完了時間予測部としてのスキャン完了時間予測部１２０３と、ユーザＩＤ入力部１２０４とを備える。
【００３８】
データ送受信部２０１は、ＰＣ１１００からのユーザ識別情報又はスキャナ１２００の装置情報を入出力するインタフェースである。
スキャナ制御部２０２は、データ送受信部２１０に対するデータ送受信の指示、媒体時間予測部２０６に対する予測計算指示、又はスキャナ部１２０１に対するスキャナ原稿の読取り指示等のスキャナ１２００の動作にかかる一連の必要な処理を実行する。
【００３９】
ユーザ識別情報は、図１６に示すように、ユーザ毎に割当てられたユーザＩＤ３００とユーザがＰＣ１１００からスキャナ１２００への移動に要するユーザ移動時間情報３０３とにより構成され、ユーザ情報格納部２０３には、ユーザＩＤとユーザ移動時間情報とを対応付けたユーザ識別情報が格納されている。
【００４０】
装置情報格納部２０４は、スキャナ１２００のスキャン処理にかかるスキャン処理速度情報を格納する。
例えば、図１７に示すように媒体１枚あたりのスキャン処理にかかる時間を示す情報であるスキャン処理速度情報は、スキャナ１２００がカラー原稿の読取りを行う場合のカラー処理速度５００及びモノクロ原稿の読取りを行う場合のモノクロ処理速度５０１から構成される。
スキャン完了時間予測部１２０３は、装置情報格納部２０４に格納されているスキャン処理速度情報及びスキャン用紙枚数センサ１２０２が読み出したスキャン原稿の枚数に基づいてスキャン処理開始からスキャン処理完了までに要する所要時間を予測計算する。
媒体取得時間予測部２０６は、スキャン処理を実行した実行ユーザに割当てられたＩＤに対応付けて格納されているユーザ移動時間及びスキャン完了時間予測部１２０３が予測計算した所要時間に基づいて実行ユーザがスキャナ１２００外部に排出されたスキャン原稿を取得するために移動を開始するのに適した媒体取得時刻を予測計算する。
【００４１】
スキャナ部１２０１は、図示しないＡＤＦ（Ａｕｔｏ  Ｄｏｃｕｍｅｎｔ  Ｆｅｅｄｅｒ）等にセットされたスキャン原稿を読取る。
スキャン用紙枚数センサ１２０２は、図示しないＡＤＦ等にセットされたスキャン原稿の枚数を読み出す。
ユーザＩＤ入力部１２０４は、ユーザを識別するユーザＩＤの入力を受付ける。
【００４２】
以下、本実施例の画像処理システムの動作について説明する。なお、本実施例において、予めスキャナ１２００の装置情報格納部２０４には、スキャン処理にかかるスキャン処理速度情報が格納されているものとし、さらにユーザ情報格納部２０３には、本スキャナを使用するユーザＩＤに対応付けてユーザのユーザ移動時間が格納されているものとする。
【００４３】
図１８は、スキャナ１２００の動作を説明するフローチャートである。
まず、ＰＣ１１００においてユーザによるスキャン実行指示を受けたＰＣ制御部１０２は、スキャナ制御部２０２に対してスキャン実行指示を送信すると共に、ユーザＩＤ４００を送信する。
【００４４】
ＰＣ１１００から送信されたスキャン実行指示を受信したスキャナ制御部２０２は、ユーザＩＤ３００を取得する（Ｓ３００）。
次に、スキャナ制御部２０２は、スキャン用紙枚数センサ１２０２にスキャン原稿の枚数を読み出すよう指示を供給する（Ｓ３０１）。
そして、スキャナ制御部２０２は、スキャナ部１２０１に対してスキャン原稿の読取り指示を供給し、指示を受けたスキャナ部１２０１は、スキャン原稿の読取りを開始する。
【００４５】
ユーザＩＤ４００を取得したスキャナ制御部２０２は、ユーザ情報格納部２０３に格納されている該当実行ユーザに対応するユーザ移動時間Ｔｓを読み出す（Ｓ３０２）。
次に、スキャナ制御部２０２は、スキャン完了時間予測部１２０３に対して装置情報格納部２０４に格納されているスキャン処理速度情報及びスキャン用紙枚数センサ１２０２が読み出したスキャン原稿の枚数情報に基づいてスキャン処理完了までに要する所要時間（スキャン完了時間Ｔｊ）を予測計算するよう指示を供給する（Ｓ３０３）
【００４６】
さらに、スキャナ制御部２０２は、媒体取得時間予測部２０６に対して、ユーザ移動時間Ｔｓ及びスキャン完了時間Ｔｊから、｜Ｔｓ−Ｔｊ｜の算出式を用いて最適なスキャン原稿取得時刻を予測計算するよう指示を供給する（Ｓ３０４）。さらに、スキャナ制御部２０２は、媒体取得時間予測部２０６が予測計算したスキャン原稿取得時刻をＰＣ１１００に送信するようデータ送受信部２０１に対して指示を供給する（Ｓ３０５）。送信指示を受けたデータ送受信部２０１は、スキャン原稿取得時刻をＰＣ１１００に対して送信する。
【００４７】
スキャナ１２００からデータ送受信部１１０１を介してスキャン原稿取得時刻を受信したＰＣ制御部１０２は、スキャン原稿取得確認部１１０４に対してスキャン原稿取得時刻を表示するよう指示を供給する。表示指示を受けたスキャン原稿取得確認部１１０４は、スキャン原稿取得時刻を表示する。
【００４８】
図１９は、スキャン処理を実行しているスキャナ１２００から送信される装置状況を表示する表示画面の一例を説明する図である。図１９の表示画面は、スキャン処理を実行している装置名が表示される装置名表示画面７００と、スキャナ１２００から受信したスキャン完了時間を表示するスキャン完了時間表示画面７０１と、スキャナ１２００のスキャン状況を表示するスキャン状況表示画面７０２と、スキャン原稿取得時刻が表示されるスキャン原稿取得表示画面７０３とを備える。
【００４９】
スキャナ１２００によるスキャン処理が完了すると、ＰＣ制御部１０２は、図１９に示す表示画面に換えて図２０に示す表示画面を表示するよう表示部１１０１に指示を供給する。表示画面の構成は、図１９で示した表示構成と略同一であるが、図２０の表示画面は、スキャン原稿がユーザにより取得されたことを確認するためのスキャン原稿取得確認画面７０４を備える。ユーザによりスキャン原稿が取得され、スキャン原稿取得確認画面７０４中の「回収した」ボタンが押下されると、ＰＣ制御部１０２は、表示部１１０１に対して表示画面を閉じるよう指示を供給する。指示を受けた表示部１１０１は、表示画面を閉じる。
【００５０】
図２１は、計時されたユーザ移動時間をユーザ情報格納部２０３に格納する際のスキャナ１２００の動作を説明するフローチャートである。
スキャナ１２００によるスキャン処理が完了すると、スキャナ制御部２０２は、タイマＡによる計時を開始する（Ｓ３０６）。ユーザがスキャナ１２００からスキャン原稿を取得し、スキャン原稿取得確認画面７０３中の「回収した」ボタンを押下すると、ＰＣ制御部１０２は、スキャナ制御部２０２に対してスキャン原稿取得通知を送信する。ＰＣ制御部１０２からのスキャン原稿取得通知を受信すると（Ｓ３０７）、スキャナ制御部２０２は、タイマＡを停止し（Ｓ３０８）、タイマＡで計時した時間をユーザ移動時間としてユーザ情報格納部２０３に格納する。本動作は、スキャナ１２００によるスキャン処理完了後、ユーザによりスキャン原稿取得確認画面７０３中の「回収した」ボタンが押下される度に実行される。
【００５１】
以上のように、第４の実施例によれば、装置情報格納部２０４に格納されたスキャナ１２００のスキャン処理にかかるスキャン処理速度情報からスキャンが完了する時間を予測計算し、さらにユーザ情報格納部２０３に蓄積されたユーザ移動情報を考慮することで、スキャン処理を実行した実行ユーザがスキャン原稿を取得するためにスキャナ１２００に向かう最適な時期を通知することができる。したがって、実行ユーザは最適な時間で効率良くスキャン原稿を取得することが可能となる。したがって、スキャン処理を実行した実行ユーザがスキャン原稿を取得するためにスキャナ１２００に向かう最適な時期を通知することができる。したがって、スキャン処理完了よりも早くスキャン原稿を取に行った場合に、ユーザがスキャナ１２００の前でスキャン処理完了まで待たされるといった問題や、逆にスキャン処理完了よりも遅くスキャン原稿を取に行った場合、間違えて他のユーザのスキャン原稿を回収してしまうといった問題を解決することが可能となる。
【００５２】
（第５の実施例）
第５の実施例にかかる画像処理システムが備えるＰＣ１３００及びスキャナ１２００の要部構成は第４の実施例にかかるＰＣ１１００及びスキャナ１２００と略同一であるため、同一な箇所には同一な符号を付して説明は省略し、異なる箇所について説明する。
図２２は、本実施例にかかる画像処理システムが備えるＰＣ１３００及びスキャナ１２００の要部構成を説明するブロック図である。
第５の実施例におけるＰＣ１３００の表示部１３０１は、原稿取得済ユーザ表示部１３０２を備える。
原稿取得済ユーザ表示部１３０２は、スキャナ１２００において過去にスキャン処理を実行し、既にスキャン原稿を取得した他のユーザＩＤを表示する。
【００５３】
図２３は、スキャナ１２００によるスキャン処理が完了した際に表示される表示画面の一例を説明する図である。図２３の表示画面は、第４の実施例で説明した画面構成と略同一であるが、スキャン原稿取得確認画面７０４は、「回収した」ボタンに加えて「スキャン原稿を紛失した」ボタンを備える。
実行ユーザがスキャン処理の実行指示を出し、スキャナ１２００においてスキャン原稿を取得することができなかった場合、実行ユーザは「スキャン原稿を紛失した」ボタンを押下する。すると、ＰＣ制御部１０２は、既にスキャン原稿を取得した他のユーザのユーザＩＤを表示するための処理を開始する。
図２４は、原稿取得済ユーザの表示処理にかかる動作を説明するフローチャートである。
実行ユーザにより、「スキャン原稿を紛失した」ボタンが押下されると、ＰＣ制御部１０２は、スキャン原稿を取得した他のユーザが存在するか否かを判断する（Ｓ４０１）。具体的には、ＰＣ制御部１０２は、ユーザにより「スキャン原稿を紛失した」ボタンが押下されると、スキャナ制御部２０２に対して、スキャン原稿未取得通知を送信する。すると、スキャナ制御部２０２は、ＰＣ制御部１０２に対して、これまでにスキャナ１２００においてスキャナ処理を実行してスキャナ原稿を取得した他のユーザのユーザＩＤとその取得時間を送信する。
【００５４】
スキャナ制御部２０２からユーザＩＤが送信されなかった場合、ＰＣ制御部１０２は、該当する他のユーザは存在しないと判断し（Ｓ４０１  Ｎｏ）、その旨を表示するよう原稿取得済ユーザ表示部１３０２に指示を供給する（Ｓ４０３）。表示指示を受けた原稿取得済ユーザ表示部１３０２は、該当する他のユーザは存在しない旨を表示する。一方、スキャナ制御部２０２からユーザＩＤが送信された場合、ＰＣ制御部１０２は、該当する他のユーザが存在すると判断し（Ｓ４０１  Ｙｅｓ）、該当する他のユーザ一覧を表示するよう原稿取得済ユーザ表示部１３０２に指示を供給する（Ｓ４０２）。表示指示を受けた原稿取得済ユーザ表示部１３０２は、図２５に示すような表示画面を表示する。表示画面の構成は、図２３で示した表示構成と略同一であるが、表示画面は、原稿取得済ユーザ一覧７０４を備える。この原稿取得済ユーザ一覧７０５には、スキャナ１２００においてスキャン処理を実行してスキャン原稿を取得した他のユーザのユーザＩＤとその取得時間が表示される。
【００５５】
以上のように、第５の実施例によれば、第４の実施例の効果に加え、実行ユーザのスキャン原稿が間違って他のユーザにより取得された場合においても、間違って取得したユーザを特定することができるので、確実にスキャン原稿を回収することが可能となる。
【００５６】
実施例１，２，及び３では画像処理装置としてプリンタを例として説明した。また、実施例４及び５では画像処理装置としてスキャナを例として本発明を説明したが、本発明は、これに限定されず、本発明の要旨を逸脱しない範囲において適宜変更可能である。例えば、本発明にかかる画像処理システムを構成する画像処理装置として、前記のプリンタ、スキャナ以外にも、複合機、ＦＡＸ等を利用することも可能である。
【図面の簡単な説明】
【００５７】
【図１】第１の実施例にかかる画像処理システムが備えるＰＣ１００及びプリンタ２００の要部構成を説明するブロック図である。
【図２】印刷ジョブの構成の一例を説明する図である。
【図３】ユーザ識別情報の一例を説明する図である。
【図４】画像形成処理速度情報の一例を説明する図である。
【図５】プリンタ２００の動作を説明する図である。
【図６】表示画面の一例を説明する図である。
【図７】表示画面の一例を説明する図である。
【図８】計時されたユーザ移動情報をユーザ情報格納部２０３に格納する際のプリンタ２００の動作を説明するフローチャートである。
【図９】第２の実施例にかかる画像処理システムが備えるＰＣ８００及びプリンタ２００の要部構成を説明するブロック図である。
【図１０】表示画面の一例を説明する図である。
【図１１】印刷物取得済ユーザの表示処理にかかる動作を説明するフローチャートである。
【図１２】印刷物取得済ユーザ一覧の表示例を説明する図である。
【図１３】第３の実施例にかかる画像処理システムが備えるＰＣ１０００及びプリンタ２００の要部構成を説明するブロック図である。
【図１４】全印刷物取得確認表示画面の表示処理にかかる動作を説明するフローチャートである。
【図１５】第４の実施例にかかる画像処理システムが備えるＰＣ１１００及びスキャナ１２００の要部構成を説明するブロック図である。
【図１６】ユーザ識別情報の一例を説明する図である。
【図１７】画像形成処理速度情報の一例を説明する図である。
【図１８】スキャナ１２００の動作を説明する図である。
【図１９】表示画面の一例を説明する図である。
【図２０】表示画面の一例を説明する図である。
【図２１】計時されたユーザ移動時間をユーザ情報格納部２０３に格納する際のスキャナ１２００の動作を説明するフローチャートである。
【図２２】第５の実施例にかかる画像処理システムが備えるＰＣ１３００及びスキャナ１２００の要部構成を説明するブロック図である。
【図２３】表示画面の一例を説明する図である。
【図２４】原稿取得済ユーザの表示処理にかかる動作を説明するフローチャートである。
【図２５】原稿物取得済ユーザ一覧の表示例を説明する図である。
【符号の説明】
【００５８】
１００      ＰＣ
１０１      データ送受信部
１０２      ＰＣ制御部
１０３      印刷データ作成部
１０４      表示部
１０５      印刷完了時間表示部
１０６      印刷状況表示部
１０７      印刷物取得確認部
２００      プリンタ
２０１      データ送受信部
２０２      プリンタ制御部
２０３      ユーザ情報格納部
２０４      装置情報格納部
２０５      Ｊｏｂ完了時間予測部
２０６      媒体取得時間予測部
２０７      印刷部
８００      ＰＣ
８０１      表示部
８０２      印刷物取得済ユーザ表示部
１０００    ＰＣ
１００１    表示部
１００２    全印刷物取得確認表示部
１１００    ＰＣ
１１０１    表示部
１１０２    スキャン完了時間表示部
１１０３    スキャン状況表示部
１１０４    スキャン原稿取得確認部
１２００    スキャナ
１２０１    スキャナ部
１２０２    スキャン用紙枚数センサ
１２０３    スキャン完了時間予測部
１２０４    ユーザＩＤ入力部
【図１】
0004852518.tif 000002
【図２】
0004852518.tif 000003
【図３】
0004852518.tif 000004
【図４】
0004852518.tif 000005
【図５】
0004852518.tif 000006
【図６】
0004852518.tif 000007
【図７】
0004852518.tif 000008
【図８】
0004852518.tif 000009
【図９】
0004852518.tif 000010
【図１０】
0004852518.tif 000011
【図１１】
0004852518.tif 000012
【図１２】
0004852518.tif 000013
【図１３】
0004852518.tif 000014
【図１４】
0004852518.tif 000015
【図１５】
0004852518.tif 000016
【図１６】
0004852518.tif 000017
【図１７】
0004852518.tif 000018
【図１８】
0004852518.tif 000019
【図１９】
0004852518.tif 000020
【図２０】
0004852518.tif 000021
【図２１】
0004852518.tif 000022
【図２２】
0004852518.tif 000023
【図２３】
0004852518.tif 000024
【図２４】
0004852518.tif 000025
【図２５】
0004852518.tif 000026